(57)【特許請求の範囲】
【請求項１】
複数部ハウジング、引き金、バネ、およびランセット本体が開かれた形態でプラスチック材料から一体成形され、引き金を組み込む部分を含むハウジング部分が該ハウジング内でバネとランセット本体と共に蝶番式に取付け固定されることを可能にする腹部によって前記成形部分は接合されることを特徴とするランセット装置。
【請求項２】
前記ハウジング部分が１つの腹部或は長手方向端部間の複数の腹部によって接合された２つの延長する溝付き部材であることを特徴とする請求項１に記載のランセット装置。
【請求項３】
前記バネはジグザグ形状を成し、その一端はハウジング部分の後方端部へ１つの腹蝶番によって接続され、他端部はランセット本体内へ没入することを特徴とする請求項１或は２に記載のランセット装置。
【請求項４】
前記引き金が、引込められたランセットを保持する把持手段と協働およびそれと離脱するように内側に変形可能な舌状体であることを特徴とする請求項１から３のいずれか１つに記載のランセット装置。
【請求項５】
前記把持手段が歯付き状指状体と移動止めであって、これらの内一方はランセット本体の側面に、他方はハウジング部分内にそれぞれ配設され、該歯付き指状体はランセット引込み終了後は該移動止めとスナップ係合することを特徴とする請求項４に記載のランセット装置。
【請求項６】
前記ランセット本体が該ランセット本体の前端から突出する針先端の針の回りに成形されることと、初期状態では針先端を隠しているねじり取りキャップが該ランセット本体と一体成形され、ハウジングがランセットとバネの回りで閉じられたとき、該キャップの一部はハウジング前端の外側からアクセス可能になっていることとを特徴とする請求項１から５のいずれか１つに記載のランセット装置。
【請求項７】
前記キャップは、細長くなっており、針先端から除去される以前に、前記引き金により解放可能な該把持手段によりランセット本体を仮の保持状態へ持って行くよう押し戻すために、使用可能であることを特徴とする請求項６に記載のランセット装置。
【発明の詳細な説明】
本発明はランセット装置に関する。これは、血液サンプルを採取するために皮膚に突き刺すために使われる。
該装置は２つに大別される。第１の種類の装置は、使い捨て用ランセットが装着され、使用後は該ランセットは脱離され、安全に廃棄されるための再使用可能な発射メカニズムを有しいている。もう一方の種類の装置は、引き金装置の一部としてランセットを有し、１回使用後は装置全体が廃棄されるものである。これらは、経済的であるため小さく簡単であるにも係わらず、一般に従来は、分離して成形または製造され、組み立てられるための幾つかの部品が必要とされる。部品の数が少なければ少ないほど、且つ組立操作が少なければ少ないほどこの種の使い捨て要具にとってより良いこととなる。
本発明の目的は、この種のランセット装置に使用される部品数を最少限のものとなるように減少させることにある。
本発明では、複数部分から成るハウジング、引き金、バネ、およびランセット本体が、開かれた形態でプラスチック材料から一体成形され、引き金を組み込む部分を含むハウジング部分がバネとランセットと共に該ハウジング内で蝶番式に取付け固定されることを可能にする腹部によって前記成形の構成部分は接合されるランセット装置が提供される。
前記ハウジング部分は、単一の腹部、或は長手方向の端部間にある複数の腹部によって接合される２つの延長した溝部材であることが都合が良い。それらは、ランセットとバネが前記溝部材の一方へ折り曲げられたときに蝶番式に閉じられる。
前記ばねはジグザグ形状をなし、該バネの一端は腹部蝶番によりハウジング部分（引き金の無い一部であることが好ましい）の他端に接合され、他端部はランセット本体に没入している。前記引き金は、取り込まれたランセットを保持する把持手段と協働および該把持手段から脱離するように内側に変形可能な舌状体であることが都合が良い。前記把持手段は、歯付き指状体および移動止めであって、これらの内一方は、ランセット本体の側部にあり、他方はハウジング部分内にある。また歯付き指状体は、ランセット取り込み後は、前記移動止めにスナップ係合する。ランセットは前記指状体を保持し、一方、前記移動止めは前記ハウジング上にあることが好ましい。
ランセット本体は針の回りで成形され、針先端はランセット本体の前端から突出している。初期時点においては、針先端を隠しているちぎり取りキャップはランセット本体と一体成形されており、該キャップの一部は、ハウジングがランセット本体およびバネの回りで閉じられている場合は、ハウジング前端の外側からアクセス可能であることが好ましい。ランセット本体を、引き金により解放可能な把持手段によって仮の保持状態へ持って行くよう押し戻すために前記キャップは延長され、使用可能となる。これは、EP-B-0634000に記載の方法により該装置を準備する。
本発明をより良く理解するために、１実施例が添付図面を参照にしながら例を使って説明される。
図１は、ハウジング外部を示す、成形されていて、完成前のランセット装置の平面図である。
図２は、図１の状態にあるランセット装置の側面図である。
図３は、図１と類似であるが、ハウジング内部を示す図である。
図４は、図３の鎖線IV−IVが示す断面図である。
図５は、図３の鎖線Ｖ−Ｖが示す断面図である。
図６は、完成したランセット装置の斜視図である。
該装置は、２つの部分で成るハウジング１、バネ２、針４を包含するランセット本体３、およびランセット本体３から突出する針４の先端を隠している針キャップ５を有している。これらの部分１、２、３および５は一体成形され、針４を埋め込んでいる。
ハウジング１は延長する２つの部分６と７から成り、両方とも一般に溝形をしていて、これらの部分は、該部分の閉じ合わせを可能にする蝶番を形成している薄く軟らかな腹部８により隣合う長手方向端部において接続されている。該部分６は、後方向へ開いているＵ字形切抜き部１０が提供する舌状体の形態を成す引き金９を有している。プラスチック材料は、該舌状体がその自由端にあるパッド１１により押されると該舌状体が横断線１２に関して曲るのを可能にしてくれる。パッド１１の１側面の内面には１枚の刃１３が形成されており、該刃は、該部分６と７が閉じ合わされる時ハウジングに突入する。
他方の部分７は、長さの約半分の所に、蝶番された側から内方向で、かつ横方向に突出する１枚の刃１４を有している。
両方の部分６と７は、前端部から長さのほぼ半分ほどまで延長している対を成す案内リブ１５を中央に有し、該前端部において、横断しているフランジは各々に半円形の窪みを有していて、該窪みが合体することによりキャップ５の柄のための開口が形成される。該部分７が長手方向の自由端に沿って突部１７を有する一方、該部分６はそれに対応する受口１８を有していて、ハウジングが閉じ合わされる時、突部１７は受口１８内へとスナップ締付けがなされる。
ジグザグバネの一端は、蝶番を形成している薄い腹部１９によって部分７の後端部へ接続されており、他端部はランセット本体内へ埋没している。これは指状体２０を有していて、該指状体２０は前端部から後方向かつやや外方向に向かって延在し、その終端部は楔形フック２１となっている。プラスチック材料は、この指状体２０に弾性的柔らかさを提供している。このランセット本体３は相対する側面に沿って延在する長手方向のリブ２２を有している。
選択された配列が示されているが、ランセット本体に歯１４を、ハウジング部分に指状体２０を配設して成るように該歯１４と該指状体２０とを入れ替えることが可能である。
該装置を完成させるために、バネ２は本体部７の後方部分内に配置し、ランセットのリブ２２の一方は該本体部７のリブ１５の間に適合するように、バネ２とキャップ５を具備したランセット３とは腹蝶番１９に関して１８０度折り重ねられる。キャップ５の柄は窪み１６によって安全に把持される。それから、部分６は部分７にスナップ適合するように腹蝶番８に関して折り重ねられ、バネ２とランセット３とを内包させ、１組のリブ１５が該ランセット本体の他のリブ２２と協働するようにする。この閉包は、接着或は溶接によってより確実なものとされ得る。キャップ５は、窪み１６によって形成された開口を通して突出する。
該装備を準備するために、キャップ５は内側へ押しつけられ、
楔形フック２１は歯１４にスナップし、その裏側で係合される。そのようにして、ランセットは引込められた状態で把持される。
使用するには、キャップ５はねじり取られ（ランセット３は、リブ１５を２２に係合させることによって回転に対して把持されているため、該ランセットの回転は起こらない）、該装置の前端部は皮膚に押し付けられ、パッド１１が押される。刃１３がフック２１の外側面に係合し、本体３の内側に向かって曲げられ、それによって、該フックを歯１４から脱離させる。それから、バネ２は該フックを前方へ発射させるように動作し、針先端は、窪み１６の後方へ安全に引込められる以前に瞬間的に突出する。
【図１】
0003821491.tif 000002
【図２】
0003821491.tif 000003
【図３】
0003821491.tif 000004
【図４】
0003821491.tif 000005
【図５】
0003821491.tif 000006
【図６】
0003821491.tif 000007